(57)【要約】【課題】  簡易な構成で発光タイミングの操作を容易にした疑似餌を提供すること。【解決手段】  疑似餌は、光源４０、電源５０及びスイッチ６０を含む回路と、光源４０及び電源５０を収容する収容部と、を備える。スイッチ６０は、回路の開放端Ｅ１と、導電部を有して収容部の内外に亘り配置される可動片４４とにより形成される。導電部は、可動片４４に対する圧力Ｐ１に応じて移動し、開放端Ｅ１を短絡又は開放させ、光源４０、電源５０及びスイッチ６０を含む閉回路が開放端Ｅ１の短絡により形成される。【選択図】  図２
2019017299.tif 000002
【特許請求の範囲】
【請求項１】
光源、電源及びスイッチを含む回路と、
前記光源及び前記電源を収容する収容部と、
を備え、
前記スイッチは、前記回路の開放端と、導電部を有して前記収容部の内外に亘り配置される可動片とにより形成され、
前記導電部は、前記可動片に対する圧力に応じて移動し、前記開放端を短絡又は開放させ、
前記光源、前記電源及び前記スイッチを含む閉回路が前記開放端の短絡により形成される、
ことを特徴とする疑似餌。
【請求項２】
前記可動片は、進行方向と逆方向に可動することを特徴とする請求項１に記載の疑似餌。
【請求項３】
前記開放端の一端は、片持ちバネ状の前記可動片として形成され、
前記開放端の他端は、固定端として形成され、
前記導電部は、前記圧力に応じて前記固定端と接触することにより前記開放端を短絡させる、
ことを特徴とする請求項１又は請求項２に記載の疑似餌。
【請求項４】
前記可動片は、全体が前記導電部として形成されることを特徴とする請求項１乃至請求項３の何れかに記載の疑似餌。
【請求項５】
前記可動片は、前記収容部の内外方向に移動可能な柱状であり、フランジ部と、前記収容部の壁部と前記フランジ部との間に配置されて前記導電部を前記開放端から離間する方向に付勢するコイルばねと、を有し、
前記導電部は、前記圧力に応じて前記開放端に接触することにより前記開放端を短絡させる、
ことを特徴とする請求項１又は請求項２に記載の疑似餌。
【請求項６】
前記導電部は、前記収容部内において前記フランジ部として形成されることを特徴とする請求項５に記載の疑似餌。
【発明の詳細な説明】
【技術分野】
【０００１】
本発明は、発光する疑似餌に関する。
【背景技術】
【０００２】
従来から釣りに使用される疑似餌として、水中で発光するものが知られている。特許文献１のルアーは、板状の圧電素子と、少なくとも１個のＬＥＤと、カバーとを備える。ＬＥＤは、圧電素子によって供給される電力によって発光するように圧電素子と電気的に接続される。カバーは、圧電素子の一部を覆う部分がＬＥＤ群を覆う部分よりも薄くなっている。このルアーは、ルアー魚体の動きと圧電素子の動きを直接的に連動させることにより、複雑で多様なＬＥＤの光り方を可能としている。
【先行技術文献】
【特許文献】
【０００３】
【特許文献１】実用新案登録第３１１４４０４号
【発明の概要】
【発明が解決しようとする課題】
【０００４】
しかし、特許文献１のルアーは、道糸の引っ張り方向に対して略垂直な左右方向等に屈曲することによって圧電素子の歪みを発生させる構造としている。そのため、使用者が道糸の引き操作を行う等して直接的に発光タイミングを操作することが難しく、ルアーが使用者の意図しないタイミングで発光する場合がある。
【０００５】
本発明は、以上の点に鑑み、簡易な構成で発光タイミングの操作を容易にした疑似餌を提供することを目的とする。
【課題を解決するための手段】
【０００６】
本発明の疑似餌は、光源、電源及びスイッチを含む回路と、前記光源及び前記電源を収容する収容部と、を備え、前記スイッチは、前記回路の開放端と、導電部を有して前記収容部の内外に亘り配置される可動片とにより形成され、前記導電部は、前記可動片に対する圧力に応じて移動し、前記開放端を短絡又は開放させ、前記光源、前記電源及び前記スイッチを含む閉回路が前記開放端の短絡により形成される、ことを特徴とする。
【発明の効果】
【０００７】
本発明によれば、簡易な構成で発光タイミングの操作を容易にした疑似餌を提供することができる。
【図面の簡単な説明】
【０００８】
【図１】本発明の実施形態１に係る疑似餌の側面図である。
【図２】本発明の実施形態１に係る発光部の模式図であり、（ａ）は非発光状態を示し、（ｂ）は発光状態を示す。
【図３】本発明の実施形態２に係る発光部の模式図であり、（ａ）は非発光状態を示し、（ｂ）は発光状態を示す。
【発明を実施するための形態】
【０００９】
（実施形態１）
まず、本発明の実施形態１について述べる。図１は、疑似餌１の側面図である。疑似餌１は、魚の形状を模している。なお、以下の疑似餌１の説明において、頭部のある図１の疑似餌１の左側を前、その反対側を後とし、背部のある上側を上、その反対側を下とする。疑似餌１は、ラインアイ１２とフックアイ１３，１４を有する。ラインアイ１２は、本体１１の前端に設けられる。また、フックアイ１３は本体１１の後端に設けられ、フックアイ１４は本体１１の下側の腹部に設けられる。本体１１の前端側の下方には、リップ１５が形成される。
【００１０】
ラインアイ１２には、道糸Ｌが挿通される。また、２ヶ所のフックアイ１３，１４には、それぞれ、スプリットリング２１を介してフック２２が接続される。疑似餌１は、本体１１の頭部側に発光部３０を有する。疑似餌１の発光部３０が収容される周辺部分は、透光可能に形成される。
【００１１】
図２（ａ）は発光部３０の非発光状態の模式図であり、図２（ｂ）は発光部３０の発光状態の模式図である。発光部３０は、回路を構成する光源４０、電池５０ａ，５０ｂ（５０）及びスイッチ６０を有する。発光部３０は、光源４０、電池５０を収容する収容部として、筐体３１と、この筐体３１の開口を前方から封止する蓋体３２とを有する。筐体３１及び蓋体３２の一部又は全部は透光性を有し、光源４０に順電圧が印加されると、図１の疑似餌１の発光部３０の周辺を発光させることができる。
【００１２】
本実施形態の光源４０は、直流電源により発光するＬＥＤである。光源４０は、本体部４１を有し、この本体部４１からアノードのリード線４２とカソードのリード線４３が疑似餌１の前方へ延設される。本体部４１の先端は疑似餌１の後方を向いている。前方に延設されたリード線４２は途中で下方に折り曲げられて、その先端が開口部３１２を介して筐体３１の外方に突設している。そのため、リード線４２の一部は、疑似餌１の外部へ突設するように配置される。なお、開口部３１２は、発光部３０の内部が浸水しないように、防水可能に形成される。
【００１３】
電池５０は、光源４０の前方側に配置される。電池５０は、図２に示すようなボタン型の電池を電源として用いることができる。本実施形態では、２個の電池５０ａ，５０ｂが直列に接続されて上下に積層配置される。上方の電池５０ａの負極５２は、リード線４３の側辺と接続される。
【００１４】
スイッチ６０は、開放端Ｅ１と、開口部３１１を介して筐体３１の内外に亘り配置される可動片４４とにより形成される。開放端Ｅ１の一端は可動片４４の先端４４２である。開放端Ｅ１の他端はリード線４２の先端により形成される固定端である。可動片４４は、全体が導電部として形成され、筐体３１の内外に亘り配置される。可動片４４の筐体３１内に設けられる基部接点４４１は、下方の電池５０ｂの正極５１と接続される。可動片４４の筐体３１の外部における先端４４２は、無負荷時において開口部３１１の位置からやや後方に傾斜しており、前後方向に屈曲するよう片持ちバネ状の弾性変形が可能に形成される。可動片４４の一部は、疑似餌１の外部へ突設するように配置される。なお、開口部３１１は、発光部３０の内部が浸水しないように、防水可能に形成される。
【００１５】
つぎに、発光動作について説明する。図１で、疑似餌１が水中に投げ込まれた後、道糸Ｌが前方へ引っ張られると、疑似餌１は前進する。すると、可動片４４の先端４４２は、図２（ｂ）に示すように、後方への圧力Ｐ１（水の圧力）を受けるため、疑似餌１の進行方向と逆方向の後方に屈曲し、リード線４２と接触する。そのため、開放端Ｅ１は短絡されて光源４０、電池５０ａ，５０ｂ及びオン状態のスイッチ６０を含む閉回路が形成される。よって、光源４０が発光する。
【００１６】
使用者が道糸Ｌを引っ張り、疑似餌１が前方へ所定以上の加速度で加速している間は、可動片４４が受ける圧力Ｐ１により先端４４２とリード線４２との接触が維持される。道糸Ｌの引っ張り動作が弱まり、疑似餌１の前方への加速度が弱まると、可動片４４が受ける圧力Ｐ１が低下し、先端４４２とリード線４２の接触が解除される。
【００１７】
なお、先端４４２がリード線４２と接触する圧力Ｐ１は、可動片４４が挿通される開口部３１１及びリード線４２が挿通される開口部３１２との間隔により、或いは、可動片４４の弾性力により調整することができる。
【００１８】
本実施形態では、可動片４４及び開放端Ｅ１が疑似餌１の外部に設けられているため、疑似餌１の水深位置によって変化する発光部３０内外の圧力差で可動片４４の動き易さが変化する等、発光タイミングの外的な影響を低減することができる。
【００１９】
（実施形態２）
つぎに、実施形態２について説明する。本実施形態の疑似餌１は、発光部３０の代わりに発光部３０Ａを備える。図３（ａ）は発光部３０Ａの非発光状態の模式図であり、図３（ｂ）は発光部３０Ａの発光状態の模式図である。なお、発光部３０Ａの説明において、実施形態１の発光部３０と同様の構成については、同一の符号を付し、その説明を省略又は簡略化する。
【００２０】
発光部３０Ａは、光源４０Ａ、電池５０ｃ，５０ｄ（５０）及びスイッチ７０を有する。発光部３０Ａは、光源４０Ａ及び電池５０を収容する収容部として、筐体３１Ａを有する。また、筐体３１Ａは、一部又は全部が透光性を有するため、光源４０Ａに順電圧が印加されると、疑似餌１の発光部３０Ａの周辺を発光させることができる。
【００２１】
光源４０Ａの本体部４１からは、アノードのリード線４２Ａとカソードのリード線４３Ａが前方に延設される。アノードのリード線４２Ａは、先端が屈折した接点４２Ａ１を有する。カソードのリード線４３Ａも、先端が屈折した接点４３Ａ１を有する。
【００２２】
本実施形態では、２個の電池５０ｃ，５０ｄが直列に接続されて前後に積層配置される。後方の電池５０ｃの負極５２は、カソードのリード線４３の接点４３Ａ１と接続される。
【００２３】
スイッチ７０は、可動片７１と、開放端Ｅ２により形成される。可動片７１は、筐体３１Ａに設けられた開口部３１Ａ１を介して、筐体３１Ａの内外に亘り配置される。開口部３１Ａ１は、発光部３０Ａの内部が浸水しないように、防水可能に形成される。可動片７１は、この開口部３１Ａ１を介して筐体３１Ａの内外方向に移動可能に形成される。可動片７１は、柱状に形成され、一端に導電部７２を有し、他端に加圧部７３を有する。導電部７２及び加圧部７３は、図２に示すように、可動片７１の外径に対してフランジ部として大きな外径で形成することができる。筐体３１Ａ内に配置される導電部７２は、板状に形成することができ、金属等の硬質部材や樹脂等の軟質部材を用いることができる。筐体３１Ａ外に配置される加圧部７３も、板状に形成することができる。開放端Ｅ２は、リード線４２Ａの接点４２Ａ１と電池５０ｄの正極５１とにより形成される。
【００２４】
導電部７２と、筐体３１の開口部３１Ａ１が設けられた壁部の内面３１Ａ２との間には、可動片７１の外周に巻回されたコイルばね８０が設けられる。本実施形態では、コイルばね８０の一端は導電部７２と接続され、他端は内面３１Ａ２と接続される。コイルばね８０は、自由長において、導電部７２を開放端Ｅ２から離間する方向に付勢するように形成される。
【００２５】
なお、本実施形態の発光部３０Ａは、図１の発光部３０と同様、スイッチ７０の加圧部７３が疑似餌１の外部へ突設するように配置することができる。加圧部７３は、例えば、図１のリップ１５の前方に配置される。
【００２６】
つぎに、発光動作について説明する。疑似餌１が水中に投げ込まれたあと、道糸Ｌを前方へ引っ張ると、疑似餌１は前進し、スイッチ７０の加圧部７３が後方への圧力Ｐ２（水の抵抗）を受けるため、可動片７１はコイルばね８０の引張力に抗して、疑似餌１の進行方向と逆方向の後方へ移動する。すると、図３（ｂ）に示すように、導電部７２は、前方側の電池５０ｄの正極５１と接点４２Ａ１とに接触する。そのため、開放端Ｅ２が短絡されて光源４０Ａ、電池５０ｃ，５０ｄ及びオン状態のスイッチ７０を含む閉回路が形成される。よって、光源４０Ａが発光する。
【００２７】
使用者が道糸Ｌを引っ張り、疑似餌１が前方へ所定以上の加速度で加速している間は、加圧部７３が受ける圧力Ｐ２により導電部７２と、リード線４２の接点４２Ａ１と電池５０ｄの正極５１との接触が維持される。道糸Ｌの引っ張り動作が弱まり、疑似餌１の前方への加速度が弱まると、加圧部７３に掛かる圧力Ｐ２が低下し、導電部７２と開放端Ｅ２との接触が解除される。
【００２８】
なお、導電部７２が開放端Ｅ２と接触する圧力Ｐ２は、コイルばね８０の弾性力により調整することができる。
【００２９】
本実施形態では、開放端Ｅ２である、電池５０ｄの正極５１とリード線４２Ａの接点４２Ａ１は、筐体３１Ａ内に設けられたため、開放端Ｅ２の接点における開閉動作の信頼性を高めることができる。
【００３０】
以上、本発明の各実施形態では、スイッチ６０，７０が、回路の開放端Ｅ１，Ｅ２と、導電部を有して収容部の内外に亘り配置される可動片とにより形成され、その導電部が可動片に対する圧力Ｐ１，Ｐ２に応じて移動して開放端Ｅ１，Ｅ２を短絡又は開放させ、光源４０，４０Ａ、電池５０及びスイッチ６０，７０を含む閉回路が開放端Ｅ１，Ｅ２の短絡のときに形成される疑似餌１について説明した。
【００３１】
疑似餌１は、使用者が道糸Ｌを強く引くことにより光らせて、魚に認識させることができる。魚は光り続ける餌に対しては警戒して近づかない場合がある。しかし、各実施形態の疑似餌１は、一度光った後、ゆっくりと引っ張られることで光らない状態を維持することができるため、光っていない疑似餌１を魚に追いかけさせることができる。このように、疑似餌１は、餌となる魚の鱗が太陽の光によって一瞬光ることを再現することができる。
【００３２】
また、疑似餌１は、任意の魚種や形状の疑似餌として適用することができる。疑似餌１の発光方法は、水圧を利用して光らせるルアーの全てに適用することができる。また、使用者は、道糸Ｌを介して疑似餌１を強く引いたり、弱く引いたりして、発光するか否かを容易に制御することできる。このように、疑似餌１は、ルアー釣りにおいて通常用いられるシャクリ等の竿の操作を用いて容易に発光制御を行うことができるので、初心者でも簡単に釣果を向上させることができる。
【００３３】
なお、各実施形態の発光部３０，３０Ａは、リップ１５の前方に設けたが、リップ１５の後方位置としたり、本体１１の前端側の上方や本体１１の後端側等、他の位置に設けることができる。また、リップ１５自体が水の圧力を受けて動くことにより、スイッチ６０，７０として機能する構成としてもよい。疑似餌１はリップ１５を備えない構成としてもよい。
【００３４】
また、図３の発光部３０Ａでは、コイルばね８０が内面３１Ａ２と導電部７２との間に設けられる例について示したが、コイルばね８０は加圧部７３と筐体３１Ａの壁部の外面３１Ａ３との間に設けてもよい。このとき、コイルばね８０は、加圧部７３を外面３１Ａ３から離間する方向に付勢することで、導電部７２を開放端Ｅ２から離間する方向に付勢するよう形成することができる。
【００３５】
また、発光部３０，３０Ａは、スイッチ６０，７０の代わりに可動部として、筐体３１，３１Ａの一部に膜を設けてもよい。例えば、膜は発光部内外の圧力差に応じて発光部３０，３０Ａの内外方向へ移動することができ、膜の動きと連動可能に形成された導電部を移動させる構成としてもよい。このような構成によっても、導電部は圧力Ｐ１，Ｐ２に応じて発光部３０，３０Ａ内の回路の開放端を短絡させ、光源及び電池を含む直列の閉回路を構成することができる。
【符号の説明】
【００３６】
１        疑似餌                            １１      本体
１２      ラインアイ                        １３      フックアイ
１４      フックアイ                        １５      リップ
２１      スプリットリング                  ２２      フック
３０      発光部                            ３０Ａ    発光部
３１，３１Ａ  筐体                          ３１Ａ１  開口部
３１Ａ２  内面                              ３１Ａ３  外面
３２      蓋体
４０，４０Ａ  光源                          ４１      本体部
４２，４２Ａ  リード線                      ４２Ａ１  接点
４３，４３Ａ  リード線                      ４３Ａ    リード線
４３Ａ１  接点                              ４４      可動片
５０（５０ａ〜５０ｄ）  電池                ５１      正極
５２      負極                              ６０      スイッチ
７０      スイッチ                          ７１      可動片
７２      導電部                            ７３      加圧部
８０      コイルばね                        ３１１    開口部
３１２    開口部                            ４４１    基部接点
４４２    先端
Ｅ１，Ｅ２  開放端                          Ｌ        道糸
Ｐ１，Ｐ２  圧力
【図１】
2019017299.tif 000003
【図２】
2019017299.tif 000004
【図３】
2019017299.tif 000005